(57)【特許請求の範囲】
【請求項１】
基地局であって、
無線リンク制御（ＲＬＣ）タイマがタイムアウト状態にある場合に、セル内のアクセスしているユーザ装置（ＵＥ）の数が事前設定された数しきい値を超えているかどうかを検出するように構成される第１の検出ユニットと、
前記アクセスしているＵＥの数が前記事前設定された数しきい値を超えている場合に、前記ＲＬＣタイマの長さを事前設定された増分だけ増やすように構成される第１の調整ユニットとを備える、基地局。
【請求項２】
当該基地局が、
前記アクセスしているＵＥの数が前記事前設定された数しきい値を超えていない場合に、前記ＲＬＣタイマの前記長さが初期長さであるかどうかを検出するように構成される第２の検出ユニットと、
前記ＲＬＣタイマの前記長さが前記初期長さではない場合に、前記ＲＬＣタイマの前記長さを前記ＲＬＣタイマの前記初期長さに設定するように構成される第２の調整ユニットとを更に備える、請求項１に記載の基地局。
【請求項３】
前記ＲＬＣタイマが、当該基地局側のポーリング再送タイマであるか、及び／又は前記ＲＬＣタイマが、当該基地局側の状態報告禁止タイマであるか、及び／又は前記ＲＬＣタイマが、ＵＥ側のポーリング再送タイマであるか、及び／又は前記ＲＬＣタイマが、前記ＵＥ側の状態報告禁止タイマである、請求項１又は請求項２に記載の基地局。
【請求項４】
前記ＲＬＣタイマが、当該基地局側の前記ポーリング再送タイマであるか、及び／又は前記ＲＬＣタイマが、当該基地局側の前記状態報告禁止タイマである場合に、当該基地局が、
当該基地局側の前記ポーリング再送タイマがタイムアウト状態にあるかどうかを検出するか、及び／又は当該基地局側の前記状態報告禁止タイマの長さがアップリンクスケジューリング時間間隔よりも短いかどうかを検出するように構成される第３の検出ユニットを更に備え、もし当該基地局側の前記ポーリング再送タイマが前記タイムアウト状態にあるか、及び／又は当該基地局側の前記状態報告禁止タイマの前記長さが前記アップリンクスケジューリング時間間隔よりも短いならば、前記第１の検出ユニットが、前記アクセスしているＵＥの数が前記事前設定された数しきい値を超えているかどうかを検出する、請求項３に記載の基地局。
【請求項５】
前記第１の調整ユニットが、
前記アクセスしているＵＥの数が前記事前設定された数しきい値を超えている場合に、当該基地局側の前記ポーリング再送タイマの長さが最大調整しきい値に達しているかどうかを検出するか、及び／又は当該基地局側の前記状態報告禁止タイマの前記長さが前記最大調整しきい値に達しているかどうかを検出するように構成される検出サブユニットと、
当該基地局側の前記ポーリング再送タイマの前記長さが前記最大調整しきい値に達していないか、及び／又は当該基地局側の前記状態報告禁止タイマの前記長さが前記最大調整しきい値に達していない場合に、当該基地局側の前記ポーリング再送タイマの前記長さを第１の事前設定された増分だけ増やすか、及び／又は当該基地局側の前記状態報告禁止タイマの前記長さを第２の事前設定された増分だけ増やすように構成される調整サブユニットとを備える、請求項４に記載の基地局。
【請求項６】
当該基地局側の前記ポーリング再送タイマの前記長さが前記第１の事前設定された増分だけ増やされた後に獲得された長さが前記最大調整しきい値を超えないとともに、当該基地局側の前記状態報告禁止タイマの前記長さが前記第２の事前設定された増分だけ増やされた後に獲得された長さが前記最大調整しきい値を超えない、請求項５に記載の基地局。
【請求項７】
当該基地局が、
前記アクセスしているＵＥの数が前記事前設定された数しきい値を超えていない場合に、当該基地局側の前記ポーリング再送タイマの長さが初期長さであるかどうかを検出するか、及び／又は当該基地局側の前記状態報告禁止タイマの前記長さが初期長さであるかどうかを検出するように構成される第４の検出ユニットと、
当該基地局側の前記ポーリング再送タイマの前記長さが前記初期長さではないか、及び／又は当該基地局側の前記状態報告禁止タイマの前記長さが前記初期長さではない場合に、当該基地局側の前記ポーリング再送タイマの前記長さを前記ポーリング再送タイマの前記初期長さに設定するか、及び／又は当該基地局側の前記状態報告禁止タイマの前記長さを前記状態報告禁止タイマの前記初期長さに設定するように構成される第３の調整ユニットとを更に備える、請求項４に記載の基地局。
【請求項８】
タイマの長さを調整するための方法であって、
無線リンク制御（ＲＬＣ）タイマがタイムアウト状態にある場合に、セル内のアクセスしているユーザ装置（ＵＥ）の数が事前設定された数しきい値を超えているかどうかを検出するステップと、
前記アクセスしているＵＥの数が前記事前設定された数しきい値を超えている場合に、前記ＲＬＣタイマの長さを事前設定された増分だけ増やすステップとを含む、方法。
【請求項９】
当該方法が、
前記アクセスしているＵＥの数が前記事前設定された数しきい値を超えていない場合に、前記ＲＬＣタイマの前記長さが初期長さであるかどうかを検出するステップと、
前記ＲＬＣタイマの前記長さが前記初期長さではない場合に、前記ＲＬＣタイマの前記長さを前記ＲＬＣタイマの前記初期長さに設定するステップとを更に含む、請求項８に記載の方法。
【請求項１０】
前記ＲＬＣタイマが、基地局側のポーリング再送タイマであるか、及び／又は前記ＲＬＣタイマが、前記基地局側の状態報告禁止タイマであるか、及び／又は前記ＲＬＣタイマが、ＵＥ側のポーリング再送タイマであるか、及び／又は前記ＲＬＣタイマが、前記ＵＥ側の状態報告禁止タイマである、請求項８又は請求項９に記載の方法。
【請求項１１】
前記ＲＬＣタイマが、前記基地局側の前記ポーリング再送タイマであるか、及び／又は前記ＲＬＣタイマが、前記基地局側の前記状態報告禁止タイマである場合に、当該方法が、
前記基地局側の前記ポーリング再送タイマがタイムアウト状態にあるかどうかを検出するか、及び／又は前記基地局側の前記状態報告禁止タイマの長さがアップリンクスケジューリング時間間隔よりも短いかどうかを検出するステップと、
もし前記基地局側の前記ポーリング再送タイマが前記タイムアウト状態にあるか、及び／又は前記基地局側の前記状態報告禁止タイマの前記長さが前記アップリンクスケジューリング時間間隔よりも短いならば、前記アクセスしているＵＥの数が前記事前設定された数しきい値を超えているかどうかを検出するステップとを更に含む、請求項１０に記載の方法。
【請求項１２】
前記アクセスしているＵＥの数が前記事前設定された数しきい値を超えている場合に、無線リンク制御（ＲＬＣ）タイマの長さを事前設定された増分だけ増やす前記ステップが、
前記アクセスしているＵＥの数が前記事前設定された数しきい値を超えている場合に、前記基地局側の前記ポーリング再送タイマの長さが最大調整しきい値に達しているかどうかを検出するか、及び／又は前記基地局側の前記状態報告禁止タイマの前記長さが前記最大調整しきい値に達しているかどうかを検出するステップと、
もし前記基地局側の前記ポーリング再送タイマの前記長さが前記最大調整しきい値に達していないか、及び／又は前記基地局側の前記状態報告禁止タイマの前記長さが前記最大調整しきい値に達していないならば、前記基地局側の前記ポーリング再送タイマの前記長さを第１の事前設定された増分だけ増やすか、及び／又は前記基地局側の前記状態報告禁止タイマの前記長さを第２の事前設定された増分だけ増やすステップとを含む、請求項１１に記載の方法。
【請求項１３】
前記基地局側の前記ポーリング再送タイマの前記長さが前記第１の事前設定された増分だけ増やされた後に獲得された長さが前記最大調整しきい値を超えないとともに、前記基地局側の前記状態報告禁止タイマの前記長さが前記第２の事前設定された増分だけ増やされた後に獲得された長さが前記最大調整しきい値を超えない、請求項１２に記載の方法。
【請求項１４】
当該方法が、
前記アクセスしているＵＥの数が前記事前設定された数しきい値を超えていない場合に、前記基地局側の前記ポーリング再送タイマの長さが初期長さであるかどうかを検出するか、及び／又は前記基地局側の前記状態報告禁止タイマの前記長さが初期長さであるかどうかを検出するステップと、
もし前記基地局側の前記ポーリング再送タイマの前記長さが前記初期長さではないか、及び／又は前記基地局側の前記状態報告禁止タイマの前記長さが前記初期長さではないならば、前記基地局側の前記ポーリング再送タイマの前記長さを前記ポーリング再送タイマの前記初期長さに設定するか、及び／又は前記基地局側の前記状態報告禁止タイマの前記長さを前記状態報告禁止タイマの前記初期長さに設定するステップとを更に含む、請求項１１に記載の方法。
【請求項１５】
コンピュータに請求項８から請求項１４のいずれかに記載の方法を実行させる、プログラム。
【発明の詳細な説明】
【技術分野】
【０００１】
本出願は、２０１４年９月２４日に中国特許庁に出願され、“タイマの長さを調整するための方法、及び基地局”と表題が付けられた中国特許出願第201410494766.X号に対する優先権を主張するとともに、それはその全体における参照により本明細書に組み込まれている。
【０００２】
技術分野
本発明の実施例は、通信技術の分野に関し、特に、タイマの長さを調整するための方法、及び基地局に関する。
【背景技術】
【０００３】
ロングタームエボリューション（Long  Term  Evolution、ＬＴＥ）システムのアクノリッジモードにおける無線リンク制御（Radio  Link  Control、ＲＬＣ）タイマの関連パラメータは、基本的なプロトコルで定義されたパラメータである。これらのパラメータは、ＬＴＥ基盤ネットワークの必須のパラメータである。これらのパラメータが適切に設定されるとともに、ネットワーク内のトラフィック状態に対してより良く適応し得るかどうかは、ネットワークのリソース占有とユーザエクスペリエンスに直接的に影響する。
【０００４】
理論上は、ポーリング再送信タイマの長さ＝ポーリング識別子ビットを搬送するプロトコルデータユニット（Protocol  Data  Unit、ＰＤＵ）のエアインタフェース送信遅延＋ピアエンド状態報告のスケジューリング遅延＋状態報告のエアインタフェース送信遅延であるとともに、状態報告禁止タイマの長さ＝状態報告のエアインタフェース送信遅延＋ピアエンド再送データのスケジューリング遅延＋再送データのエアインタフェース送信遅延である。
【０００５】
前述の式におけるエアインタフェース送信遅延は、固定の継続期間とみなすことができ、２つのタイマの長さ設定は、状態報告のスケジューリング遅延、又は再送データのスケジューリング遅延に強く関連する。ネットワークにおいて、スケジューリング遅延は、ユーザの数に関連する。もしユーザの数が比較的多く（大量のトラフィックシナリオ）、そしてスケジューリングのためのユーザの数が増加するならば、各ユーザがスケジューリングの機会を得る時間間隔が長くなる。したがって、状態報告又は再送データのスケジューリング遅延が同様に長くなる。
【０００６】
もしポーリング再送タイマの設定値がピアエンドスケジューリング間隔よりも小さいならば、ピアエンド状態報告がスケジューリング機会を得ることによってフィードバックされる前に、ポーリング再送信タイマがタイムアウトし、これは不要な再送信をトリガする。さらに、再送信回数の増加は、ＲＬＣ最大再送信回数の確率を増加させ、これは呼損をもたらす。もし状態報告禁止タイマの設定値がピアエンドスケジューリング間隔よりも小さいならば、ピアエンド再送データがスケジューリング機会を得ることによってフィードバックされる前に、状態報告禁止タイマがタイムアウトし、状態報告がピアエンドに再度送信される。これはリソースを浪費し、ピアエンドに２回目の再送データを送信させる可能性がある。
【０００７】
ダウンリンクデータ送信が一例として使用され、すなわち、進化型ノードＢ（evolved  NodeB、ｅＮｏｄｅＢ）がユーザ装置（User  Equipment、ＵＥ）にデータを送信する。ポーリング再送信タイマが不適切に構成されている場合の状況は、下記のように説明される。
【０００８】
ｅＮｏｄｅＢは、ポーリング識別子ビットを搬送するダウンリンクＰＤＵデータをＵＥに送信し、ポーリング再送信タイマを同時に有効にする。ＵＥは、ｅＮｏｄｅＢによってもたらされる、ポーリング識別子ビットを搬送するダウンリンクＰＤＵデータを受信し、ｅＮｏｄｅＢに状態報告を送信するアップリンクスケジューリング機会を待つとともに、ＵＥがアップリンクスケジューリング機会を待つ時間が、ｅＮｏｄｅＢ側のポーリング再送信タイマの長さを超える。その結果、ｅＮｏｄｅＢ側のポーリング再送信タイマはタイムアウトし、なおさらＵＥからの状態報告を受信しない。したがって、ｅＮｏｄｅＢは、ＵＥがダウンリンクＰＤＵデータを受信していないとみなし、ポーリング識別子ビットを搬送するダウンリンクＰＤＵデータをＵＥに再送信する。この場合の再送信は、無効な再送信とみなされる。
【０００９】
従来技術では、不要なＲＬＣ再送信及びＲＬＣ状態報告送信が引き起こされ、これは、無線リソースを浪費する。さらに、再送信回数の増加は、ＲＬＣ最大再送信回数に達するとともに、ＵＥ呼損を引き起こすリスクを増加させる。
【発明の概要】
【００１０】
これを考慮した結果、本発明の実施例はタイマの長さを調整するための方法、及び基地局を提供し、それにより、無線リソースの無駄を回避し、ＵＥ呼損リスクを低減する。
【００１１】
第１の態様によれば、本発明の一実施例は、基地局であって、セル内のアクセスしているユーザ装置ＵＥの数が事前設定された数しきい値を超えているかどうかを検出するように構成される第１の検出ユニットと、前記アクセスしているＵＥの数が前記事前設定された数しきい値を超えている場合に、無線リンク制御ＲＬＣタイマの長さを事前設定された増分だけ増やすように構成される第１の調整ユニットとを含む、基地局を提供する。
【００１２】
第１の態様に関連して、第１の態様の第１の実施方法において、当該基地局は、前記アクセスしているＵＥの数が前記事前設定された数しきい値を超えていない場合に、前記ＲＬＣタイマの前記長さが初期長さであるかどうかを検出するように構成される第２の検出ユニットと、前記ＲＬＣタイマの前記長さが前記初期長さではない場合に、前記ＲＬＣタイマの前記長さを前記ＲＬＣタイマの前記初期長さに設定するように構成される第２の調整ユニットとを更に含む。
【００１３】
第１の態様、又は第１の態様の第１の実施方法に関連して、第１の態様の第２の実施方法において、前記ＲＬＣタイマは、当該基地局側のポーリング再送タイマであるか、及び／又は前記ＲＬＣタイマは、当該基地局側の状態報告禁止タイマであるか、及び／又は前記ＲＬＣタイマは、ＵＥ側のポーリング再送タイマであるか、及び／又は前記ＲＬＣタイマは、前記ＵＥ側の状態報告禁止タイマである。
【００１４】
第１の態様、又は第１の態様の第１の実施方法、又は第１の態様の第２の実施方法に関連して、第１の態様の第３の実施方法において、前記ＲＬＣタイマが、当該基地局側の前記ポーリング再送タイマであるか、及び／又は前記ＲＬＣタイマが、当該基地局側の前記状態報告禁止タイマである場合に、当該基地局は、当該基地局側の前記ポーリング再送タイマがタイムアウト状態にあるかどうかを検出するか、及び／又は当該基地局側の前記状態報告禁止タイマの長さがアップリンクスケジューリング時間間隔よりも短いかどうかを検出するように構成される第３の検出ユニットを更に備え、もし当該基地局側の前記ポーリング再送タイマが前記タイムアウト状態にあるか、及び／又は当該基地局側の前記状態報告禁止タイマの前記長さが前記アップリンクスケジューリング時間間隔よりも短いならば、前記第１の検出ユニットは、前記アクセスしているＵＥの数が前記事前設定された数しきい値を超えているかどうかを検出する。
【００１５】
第１の態様の第３の実施方法に関連して、第１の態様の第４の実施方法において、前記第１の調整ユニットは、前記アクセスしているＵＥの数が前記事前設定された数しきい値を超えている場合に、当該基地局側の前記ポーリング再送タイマの長さが最大調整しきい値に達しているかどうかを検出するか、及び／又は当該基地局側の前記状態報告禁止タイマの前記長さが前記最大調整しきい値に達しているかどうかを検出するように構成される検出サブユニットと、当該基地局側の前記ポーリング再送タイマの前記長さが前記最大調整しきい値に達していないか、及び／又は当該基地局側の前記状態報告禁止タイマの前記長さが前記最大調整しきい値に達していない場合に、当該基地局側の前記ポーリング再送タイマの前記長さを第１の事前設定された増分だけ増やすか、及び／又は当該基地局側の前記状態報告禁止タイマの前記長さを第２の事前設定された増分だけ増やすように構成される調整サブユニットとを含む。
【００１６】
第１の態様の第４の実施方法に関連して、第１の態様の第５の実施方法において、当該基地局側の前記ポーリング再送タイマの前記長さが前記第１の事前設定された増分だけ増やされた後に獲得された長さは前記最大調整しきい値を超えないとともに、当該基地局側の前記状態報告禁止タイマの前記長さが前記第２の事前設定された増分だけ増やされた後に獲得された長さは前記最大調整しきい値を超えない。
【００１７】
第１の態様の第３の実施方法に関連して、第１の態様の第６の実施方法において、当該基地局は、前記アクセスしているＵＥの数が前記事前設定された数しきい値を超えていない場合に、当該基地局側の前記ポーリング再送タイマの長さが初期長さであるかどうかを検出するか、及び／又は当該基地局側の前記状態報告禁止タイマの前記長さが初期長さであるかどうかを検出するように構成される第４の検出ユニットと、当該基地局側の前記ポーリング再送タイマの前記長さが前記初期長さではないか、及び／又は当該基地局側の前記状態報告禁止タイマの前記長さが前記初期長さではない場合に、当該基地局側の前記ポーリング再送タイマの前記長さを前記ポーリング再送タイマの前記初期長さに設定するか、及び／又は当該基地局側の前記状態報告禁止タイマの前記長さを前記状態報告禁止タイマの前記初期長さに設定するように構成される第３の調整ユニットとを更に含む。
【００１８】
第２の態様によれば、本発明の一実施例は、プロセッサとメモリとを含む基地局であって、前記メモリがプログラム命令を記憶するように構成され、前記プロセッサが、前記メモリに記憶された前記プログラム命令を呼び出して、下記の、セル内のアクセスしているユーザ装置ＵＥの数が事前設定された数しきい値を超えているかどうかを検出する動作と、前記アクセスしているＵＥの数が前記事前設定された数しきい値を超えている場合に、無線リンク制御ＲＬＣタイマの長さを事前設定された増分だけ増やす動作とを実行するように構成される、基地局を提供する。
【００１９】
第２の態様に関連して、第２の態様の第１の実施方法において、前記プロセッサにより実行される動作は、前記アクセスしているＵＥの数が前記事前設定された数しきい値を超えていない場合に、前記ＲＬＣタイマの前記長さが初期長さであるかどうかを検出する動作と、前記ＲＬＣタイマの前記長さが前記初期長さではない場合に、前記ＲＬＣタイマの前記長さを前記ＲＬＣタイマの前記初期長さに設定する動作とを更に含む。
【００２０】
第２の態様、又は第２の態様の第１の実施方法に関連して、第２の態様の第２の実施方法において、前記ＲＬＣタイマは、当該基地局側のポーリング再送タイマであるか、及び／又は前記ＲＬＣタイマは、当該基地局側の状態報告禁止タイマであるか、及び／又は前記ＲＬＣタイマは、ＵＥ側のポーリング再送タイマであるか、及び／又は前記ＲＬＣタイマは、前記ＵＥ側の状態報告禁止タイマである。
【００２１】
第２の態様、又は第２の態様の第１の実施方法、又は第２の態様の第２の実施方法に関連して、第２の態様の第３の実施方法において、前記ＲＬＣタイマが、当該基地局側の前記ポーリング再送タイマであるか、及び／又は前記ＲＬＣタイマが、当該基地局側の前記状態報告禁止タイマである場合に、前記プロセッサにより実行される動作は、当該基地局側の前記ポーリング再送タイマがタイムアウト状態にあるかどうかを検出するか、及び／又は当該基地局側の前記状態報告禁止タイマの長さがアップリンクスケジューリング時間間隔よりも短いかどうかを検出し、もし当該基地局側の前記ポーリング再送タイマが前記タイムアウト状態にあるか、及び／又は当該基地局側の前記状態報告禁止タイマの前記長さが前記アップリンクスケジューリング時間間隔よりも短いならば、前記アクセスしているＵＥの数が前記事前設定された数しきい値を超えているかどうかを検出する動作を更に含む。
【００２２】
第２の態様の第３の実施方法に関連して、第２の態様の第４の実施方法において、前記アクセスしているＵＥの数が前記事前設定された数しきい値を超えている場合に、当該基地局により、ＲＬＣタイマの長さを事前設定された増分だけ増やす前記動作は、前記アクセスしているＵＥの数が前記事前設定された数しきい値を超えている場合に、当該基地局により、当該基地局側の前記ポーリング再送タイマの長さが最大調整しきい値に達しているかどうかを検出するか、及び／又は当該基地局側の前記状態報告禁止タイマの前記長さが前記最大調整しきい値に達しているかどうかを検出する動作と、もし当該基地局側の前記ポーリング再送タイマの前記長さが前記最大調整しきい値に達していないか、及び／又は当該基地局側の前記状態報告禁止タイマの前記長さが前記最大調整しきい値に達していないならば、当該基地局側の前記ポーリング再送タイマの前記長さを第１の事前設定された増分だけ増やすか、及び／又は当該基地局側の前記状態報告禁止タイマの前記長さを第２の事前設定された増分だけ増やす動作とを含む。
【００２３】
第２の態様の第４の実施方法に関連して、第２の態様の第５の実施方法において、当該基地局側の前記ポーリング再送タイマの前記長さが前記第１の事前設定された増分だけ増やされた後に獲得された長さは前記最大調整しきい値を超えないとともに、当該基地局側の前記状態報告禁止タイマの前記長さが前記第２の事前設定された増分だけ増やされた後に獲得された長さは前記最大調整しきい値を超えない。
【００２４】
第２の態様の第３の実施方法に関連して、第２の態様の第６の実施方法において、前記プロセッサにより実行される動作は、前記アクセスしているＵＥの数が前記事前設定された数しきい値を超えていない場合に、当該基地局側の前記ポーリング再送タイマの長さが初期長さであるかどうかを検出するか、及び／又は当該基地局側の前記状態報告禁止タイマの前記長さが初期長さであるかどうかを検出する動作と、もし当該基地局側の前記ポーリング再送タイマの前記長さが前記初期長さではないか、及び／又は当該基地局側の前記状態報告禁止タイマの前記長さが前記初期長さではないならば、当該基地局側の前記ポーリング再送タイマの前記長さを前記ポーリング再送タイマの前記初期長さに設定するか、及び／又は当該基地局側の前記状態報告禁止タイマの前記長さを前記状態報告禁止タイマの前記初期長さに設定する動作とを更に含む。
【００２５】
第３の態様によれば、本発明の一実施例は、タイマの長さを調整するための方法であって、セル内のアクセスしているユーザ装置ＵＥの数が事前設定された数しきい値を超えているかどうかを検出するステップと、前記アクセスしているＵＥの数が前記事前設定された数しきい値を超えている場合に、無線リンク制御ＲＬＣタイマの長さを事前設定された増分だけ増やすステップとを含む、方法を提供する。
【００２６】
第３の態様に関連して、第３の態様の第１の実施方法において、当該方法は、前記アクセスしているＵＥの数が前記事前設定された数しきい値を超えていない場合に、前記ＲＬＣタイマの前記長さが初期長さであるかどうかを検出するステップと、前記ＲＬＣタイマの前記長さが前記初期長さではない場合に、前記ＲＬＣタイマの前記長さを前記ＲＬＣタイマの前記初期長さに設定するステップとを更に含む。
【００２７】
第３の態様、又は第３の態様の第１の実施方法に関連して、第３の態様の第２の実施方法において、前記ＲＬＣタイマは、基地局側のポーリング再送タイマであるか、及び／又は前記ＲＬＣタイマは、前記基地局側の状態報告禁止タイマであるか、及び／又は前記ＲＬＣタイマは、ＵＥ側のポーリング再送タイマであるか、及び／又は前記ＲＬＣタイマは、前記ＵＥ側の状態報告禁止タイマである。
【００２８】
第３の態様、又は第３の態様の第１の実施方法、又は第３の態様の第２の実施方法に関連して、第３の態様の第３の実施方法において、前記ＲＬＣタイマが、前記基地局側の前記ポーリング再送タイマであるか、及び／又は前記ＲＬＣタイマが、前記基地局側の前記状態報告禁止タイマである場合に、当該方法は、前記基地局側の前記ポーリング再送タイマがタイムアウト状態にあるかどうかを検出するか、及び／又は前記基地局側の前記状態報告禁止タイマの長さがアップリンクスケジューリング時間間隔よりも短いかどうかを検出するステップと、もし前記基地局側の前記ポーリング再送タイマが前記タイムアウト状態にあるか、及び／又は前記基地局側の前記状態報告禁止タイマの前記長さが前記アップリンクスケジューリング時間間隔よりも短いならば、前記アクセスしているＵＥの数が前記事前設定された数しきい値を超えているかどうかを検出するステップを更に含む。
【００２９】
第３の態様の第３の実施方法に関連して、第３の態様の第４の実施方法において、前記アクセスしているＵＥの数が前記事前設定された数しきい値を超えている場合に、無線リンク制御ＲＬＣタイマの長さを事前設定された増分だけ増やす前記ステップは、前記アクセスしているＵＥの数が前記事前設定された数しきい値を超えている場合に、前記基地局側の前記ポーリング再送タイマの長さが最大調整しきい値に達しているかどうかを検出するか、及び／又は前記基地局側の前記状態報告禁止タイマの前記長さが前記最大調整しきい値に達しているかどうかを検出するステップと、もし前記基地局側の前記ポーリング再送タイマの前記長さが前記最大調整しきい値に達していないか、及び／又は前記基地局側の前記状態報告禁止タイマの前記長さが前記最大調整しきい値に達していないならば、前記基地局側の前記ポーリング再送タイマの前記長さを第１の事前設定された増分だけ増やすか、及び／又は前記基地局側の前記状態報告禁止タイマの前記長さを第２の事前設定された増分だけ増やすステップとを含む。
【００３０】
第３の態様の第４の実施方法に関連して、第３の態様の第５の実施方法において、前記基地局側の前記ポーリング再送タイマの前記長さが前記第１の事前設定された増分だけ増やされた後に獲得された長さは前記最大調整しきい値を超えないとともに、前記基地局側の前記状態報告禁止タイマの前記長さが前記第２の事前設定された増分だけ増やされた後に獲得された長さは前記最大調整しきい値を超えない。
【００３１】
第３の態様の第３の実施方法に関連して、第３の態様の第６の実施方法において、当該方法は、前記アクセスしているＵＥの数が前記事前設定された数しきい値を超えていない場合に、前記基地局側の前記ポーリング再送タイマの長さが初期長さであるかどうかを検出するか、及び／又は前記基地局側の前記状態報告禁止タイマの前記長さが初期長さであるかどうかを検出するステップと、もし前記基地局側の前記ポーリング再送タイマの前記長さが前記初期長さではないか、及び／又は前記基地局側の前記状態報告禁止タイマの前記長さが前記初期長さではないならば、前記基地局側の前記ポーリング再送タイマの前記長さを前記ポーリング再送タイマの前記初期長さに設定するか、及び／又は前記基地局側の前記状態報告禁止タイマの前記長さを前記状態報告禁止タイマの前記初期長さに設定するステップとを更に含む。
【００３２】
前述の技術的解決法から、本発明の実施例が下記の利点を有することが分かり得る。
【００３３】
本発明の実施例では、基地局が、セル内のアクセスしているＵＥの数を検出するとともに、アクセスしているＵＥの数が事前設定された数しきい値を超えている場合に、ＲＬＣタイマの長さが事前設定された増分だけ増やされる。すなわち、本発明の実施例におけるＲＬＣタイマのパラメータは、現在のセル内のアクセスしているＵＥの数に応じて調整され、これは、無線リソースの浪費を回避し、ＵＥの呼損リスクを低減することができる。
【００３４】
本発明の実施例におけるか又は従来技術における技術的解決法をより明確に説明するために、下記は、実施例又は従来技術を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００３５】
【図１】本発明によるタイマの長さを調整するための方法の一実施例の概略図である。
【図２】本発明によるタイマの長さを調整するための方法の別の実施例の概略図である。
【図３Ａ】本発明によるタイマの長さを調整するための方法の更に別の実施例の概略図である。
【図３Ｂ】本発明によるタイマの長さを調整するための方法の更に別の実施例の概略図である。
【図４】本発明による基地局の一実施例の概略図である。
【図５】本発明による基地局の別の実施例の概略図である。
【図６】本発明による基地局の更に別の実施例の概略図である。
【図７】本発明による基地局の更にまた別の実施例の概略図である。
【発明を実施するための形態】
【００３６】
下記は、本発明の実施例における添付図面を参照して、本発明の実施例における技術的解決法を明確に説明する。明らかに、説明される実施例は本発明の実施例の全てではなく単に一部である。本発明の実施例に基づいて当業者により取得される他の全ての実施例は、本発明の保護範囲に含まれるものとする。
【００３７】
本発明の実施例が説明される前に、ＲＬＣタイマの初期長さを設定するための方法が説明される。ＵＥがデータ用無線ベアラ（Data  Radio  Bearer、ＤＲＢ）及びシグナリング用無線ベアラ（Signaling  Radio  Bearer、ＳＲＢ）を設定する処理では、基地局は、基地局側及びＵＥ側のＲＬＣタイマの初期長さを設定する必要がある。基地局側のＲＬＣタイマの長さは、基地局自身によって設定されるとともに、ＵＥ側のＲＬＣタイマの長さは、無線リソース制御（Radio  Resource  Control、ＲＲＣ）再定義メッセージを使用することにより、基地局によってＵＥに送信される必要がある。メッセージを受信した後で、ＵＥは、メッセージ内で搬送されるＵＥ側のＳＲＢ又はＤＲＢの初期ＲＬＣタイマパラメータを抽出し、初期設定を完了する。
【００３８】
従来技術では、ＲＬＣタイマの初期長さ設定が完了した後で、基地局側及びＵＥ側のＲＬＣタイマの長さは固定であるとともに変化せず、これは、無線リソースの浪費及び呼損の問題を引き起こす。
【００３９】
本発明の実施例では、基地局側及びＵＥ側のＲＬＣタイマの初期長さに基づいて適応調整が実行される。まず、図１を参照すると、本発明によるタイマの長さを調整するための方法の実施例は、下記のステップを含む。
【００４０】
１０１．基地局が、セル内のアクセスしているＵＥの数が事前設定された数しきい値を超えているかどうかを検出する。
【００４１】
特定の実装例では、ＵＥがＳＲＢ又はＤＲＢ伝送を実行する段階において、基地局は、セル内のアクセスしているＵＥの数が事前設定された数しきい値を超えているかどうかを検出することができる。
【００４２】
１０２．アクセスしているＵＥの数が事前設定された数しきい値を超えている場合に、基地局が、ＲＬＣタイマの長さを事前設定された増分だけ増やす。
【００４３】
特定の実装例では、事前設定された増分は、プロトコルにおいて指定された最大長とＲＬＣタイマの現在の長さとの間の差の範囲内の任意の値とすることができる。基地局は、ＲＬＣタイマの長さとして、ＲＬＣタイマの長さを事前設定された増分だけ増やすことにより得られた長さを使用する。
【００４４】
この実施例では、基地局は、ネットワーク内のＵＥの数に応じてＲＬＣタイマのパラメータを調整し、これは、無線リソースの浪費を回避し、ＵＥの呼損リスクを低減することができる。
【００４５】
理解を容易にするために、具体的な実施例を用いることにより、本発明におけるタイマの長さを調整するための方法が説明される。図２を参照すると、この実施例における方法は下記のステップを含む。
【００４６】
２０１．基地局が、セル内のアクセスしているＵＥの数が事前設定された数しきい値を超えているかどうかを検出し、もし超えているならばステップ２０２を実行するか、又はもし超えていないならばステップ２０３を実行する。
【００４７】
２０２．基地局が、ＲＬＣタイマの長さを事前設定された増分だけ増やす。
【００４８】
この実施例におけるＲＬＣタイマは、基地局側のポーリング再送タイマか、及び／又は基地局側の状態報告禁止タイマか、及び／又はＵＥ側のポーリング再送タイマか、及び／又はＵＥ側の状態報告禁止タイマである。
【００４９】
事前設定された増分は、プロトコルにおいて指定された最大長とＲＬＣタイマの現在の長さとの間の差の範囲内の任意の値とすることができる。タイマに対して増やされる事前設定された増分は、同じ値であってもよいし、異なる値であってもよい。事前設定された増分だけ増やされた後で、各タイマの長さは依然としてプロトコルにおいて指定された最大長の範囲内にある。
【００５０】
基地局側のポーリング再送タイマの長さの事前設定された増分、及び基地局側の状態報告禁止タイマの長さの事前設定された増分は、基地局自身によって設定される。ＵＥ側のポーリング再送タイマの長さの事前設定された増分、及びＵＥ側の状態報告禁止タイマの長さの事前設定された増分は、基地局がＲＲＣ再定義メッセージをＵＥに送信する方法で設定され、メッセージを受信した後で、ＵＥは、メッセージ内で搬送されるＵＥ側のＲＬＣタイマのパラメータを抽出し、設定を実行する。基地局及び／又はＵＥは、ＲＬＣタイマの長さとして、ＲＬＣタイマの長さを事前設定された増分だけ増やすことにより得られた長さを使用する。
【００５１】
２０３．基地局が、ＲＬＣタイマの長さが初期長さであるかどうかを検出し、もし否定の結果であるならばステップ２０４を実行するか、又はもし肯定の結果であるならばステップ２０５に進んで処理を終了する。
【００５２】
２０４．基地局が、ＲＬＣタイマの長さをＲＬＣタイマの初期長さに設定する。
【００５３】
もしＲＬＣタイマの長さが初期長さではないならば、それは、この調整の前に、基地局がＲＬＣタイマの長さを調整したことを示す。この場合、セル内のアクセスしているＵＥの数は、事前設定された数しきい値を超えていない。したがって、基地局側のポーリング再送タイマ及び／若しくは状態報告禁止タイマの長さ、並びに／又は、ＵＥ側のポーリング再送タイマ及び／若しくは状態報告禁止タイマの長さは、初期長さに復元される必要がある。
【００５４】
この実施例では、基地局は、ネットワーク内のＵＥの数に応じてＲＬＣタイマのパラメータを調整する。ＲＬＣタイマの長さは、ＵＥの数が事前設定された数しきい値よりも多い場合に事前設定された増分だけ増やされ、そうでなければ、ＲＬＣタイマの長さが初期長さではない場合に、ＲＬＣタイマの長さは初期長さに設定される。したがって、ＲＬＣタイマの長さは、ネットワークの状況に対してより適応することができ、これは、無効なＲＬＣ再送信及び状態報告送信を回避し、無線リソースの消費を低減するとともに、ネットワークスループットを増加させる。さらに、ＲＬＣ再送信が最大回数だけ実行されるため、ＵＥの呼損が回避されることができる。
【００５５】
前述の実施例は、基地局側及びＵＥ側のポーリング再送タイマ及び状態報告禁止タイマの長さを調整するための方法を紹介した。下記は、基地局側のみのポーリング再送タイマ及び状態報告禁止タイマの長さを調整するための別の方法を紹介する。図３Ａ及び図３Ｂを参照すると、この実施例における方法は下記のステップを含む。
【００５６】
３０１．基地局側のポーリング再送タイマがタイムアウト状態にあるかどうかを検出するか、及び／又は基地局側の状態報告禁止タイマの長さがアップリンクスケジューリング時間間隔よりも短いかどうかを検出し、もし肯定の結果であるならばステップ３０２を実行し、そうでなければステップ３０７を実行して処理を終了する。
【００５７】
前述のアップリンクスケジューリング時間間隔は、基地局が２回連続して同一ユーザのためのデータをスケジューリングする時間間隔である。
【００５８】
この実施例では、基地局側のＲＬＣタイマの長さの状態を判定するステップが追加され、それにより、より正確な細かい粒度の調整を行うとともに、基地局の現在の状態要求に対してより適応したＲＬＣタイマの調整を行う。
【００５９】
３０２．セル内のアクセスしているＵＥの数が事前設定された数しきい値を超えているかどうかを検出し、もし肯定の結果であるならばステップ３０３を実行し、そうでなければステップ３０５を実行する。
【００６０】
３０３．基地局側のポーリング再送タイマの長さが最大調整しきい値に達しているかどうかを検出するか、及び／又は基地局側の状態報告禁止タイマの長さが最大調整しきい値に達しているかどうかを検出し、もし否定の結果であるならばステップ３０４を実行し、そうでなければステップ３０７を実行して処理を終了する。
【００６１】
３０４．基地局側のポーリング再送タイマの長さを第１の事前設定された増分だけ増やすか、及び／又は基地局側の状態報告禁止タイマの長さを第２の事前設定された増分だけ増やす。
【００６２】
第１の事前設定された増分及び第２の事前設定された増分は、同じ値であってもよいし、異なる値であってもよい。基地局側のポーリング再送タイマの長さが第１の事前設定された増分だけ増やされた後に獲得された長さは最大調整しきい値を超えない。同様に、基地局側の状態報告禁止タイマの長さが第２の事前設定された増分だけ増やされた後に獲得された長さは最大調整しきい値を超えない。
【００６３】
３０５．基地局側のポーリング再送タイマの長さ、及び／又は基地局側の状態報告禁止タイマの長さが初期長さであるかどうかを検出し、もし否定の結果であるならばステップ３０６を実行し、そうでなければステップ３０７を実行して処理を終了する。
【００６４】
３０６．基地局側のポーリング再送タイマの長さ、及び／又は基地局側の状態報告禁止タイマの長さを初期長さに設定する。
【００６５】
もし基地局側のポーリング再送タイマの長さ、及び／又は基地局側の状態報告禁止タイマの長さが初期長さではないならば、それは、基地局がこれらのタイマの長さを調整したことを示す。このステップでは、基地局側のポーリング再送タイマの長さ、及び／又は基地局側の状態報告禁止タイマの長さは、初期長さに復元される。
【００６６】
特定の実装例では、任意に、基地局側のポーリング再送タイマはタイムアウト状態にある。もしアクセスしているＵＥの数が、この場合に、事前設定された数しきい値を超えているならば、基地局側のポーリング再送タイマの長さが最大しきい値に達しているかどうかが検出される。もし最大しきい値に達していないならば、基地局側のポーリング再送タイマの長さが第１の事前設定された増分だけ増やされる。もしアクセスしているＵＥの数が、この場合に、事前設定された数しきい値を超えていないならば、基地局側のポーリング再送タイマの長さが初期長さであるかどうかが検出される。もし否定の結果であるならば、基地局側のポーリング再送タイマの長さがポーリング再送タイマの初期長さに設定される。
【００６７】
任意に、基地局側の状態報告禁止タイマの長さはアップリンクスケジューリング時間間隔よりも短い。もしアクセスしているＵＥの数が、この場合に、事前設定された数しきい値を超えているならば、基地局側の状態報告禁止タイマの長さが最大しきい値に達しているかどうかが検出される。もし最大しきい値に達していないならば、基地局側の状態報告禁止タイマの長さが第２の事前設定された増分だけ増やされる。もしアクセスしているＵＥの数が、この場合に、事前設定された数しきい値を超えていないならば、基地局側の状態報告禁止タイマの長さが初期長さであるかどうかが検出される。もし否定の結果であるならば、基地局側の状態報告禁止タイマの長さが状態報告禁止タイマの初期長さに設定される。
【００６８】
任意に、基地局側のポーリング再送タイマはタイムアウト状態にあるとともに、基地局側の状態報告禁止タイマの長さはアップリンクスケジューリング時間間隔よりも短い。もしアクセスしているＵＥの数が、この場合に、事前設定された数しきい値を超えているならば、基地局側のポーリング再送タイマの長さが最大しきい値を超えているかどうか、及び基地局側の状態報告禁止タイマの長さが最大しきい値に達しているかどうかが検出される必要がある。その場合に、最大しきい値に達していない基地局側のポーリング再送タイマの長さが第１の事前設定された増分だけ増やされるとともに、最大しきい値に達していない基地局側の状態報告禁止タイマの長さが第２の事前設定された増分だけ増やされる。もしアクセスしているＵＥの数が、この場合に、事前設定された数しきい値を超えていないならば、基地局側のポーリング再送タイマの長さが初期長さであるかどうか、及び基地局側の状態報告禁止タイマの長さが初期長さであるかどうかが検出される必要がある。その場合に、初期長さではないポーリング再送タイマの長さがポーリング再送タイマの初期長さに設定されるとともに、初期長さではない状態報告禁止タイマの長さが状態報告禁止タイマの初期長さに設定される。
【００６９】
前述のいくつかのケースは、説明のための実例としてのみ使用される、という点に注意が必要である。別の可能な実装例のケースが同様に本発明の保護範囲内に含まれ、これはここでは特に限定されない。
【００７０】
この実施例では、基地局は、ネットワーク内のＵＥの数に応じて基地局側のＲＬＣタイマのパラメータを調整し、これは、基地局側のＲＬＣタイマの長さをネットワークの状況に対してより適応させ、無効なＲＬＣ再送信及び状態報告送信を回避し、無線リソースの消費を低減する。
【００７１】
図４を参照すると、この実施例における基地局４００は、セル内のアクセスしているユーザ装置ＵＥの数が事前設定された数しきい値を超えているかどうかを検出するように構成される第１の検出ユニット４０１と、アクセスしているＵＥの数が事前設定された数しきい値を超えている場合に、無線リンク制御ＲＬＣタイマの長さを事前設定された増分だけ増やすように構成される第１の調整ユニット４０２とを含む。
【００７２】
この実施例では、第１の調整ユニットは、ネットワーク内のＵＥの数に応じてＲＬＣタイマのパラメータを調整し、これは、無線リソースの浪費を回避し、ＵＥの呼損リスクを低減することができる。
【００７３】
理解を容易にするために、下記は、具体的な実施例を用いることにより、本発明における基地局を説明する。図５を参照すると、この実施例における基地局５００は、セル内のアクセスしているユーザ装置ＵＥの数が事前設定された数しきい値を超えているかどうかを検出するように構成される第１の検出ユニット５０１と、アクセスしているＵＥの数が事前設定された数しきい値を超えている場合に、無線リンク制御ＲＬＣタイマの長さを事前設定された増分だけ増やすように構成される第１の調整ユニット５０２と、アクセスしているＵＥの数が事前設定された数しきい値を超えていない場合に、ＲＬＣタイマの長さが初期長さであるかどうかを検出するように構成される第２の検出ユニット５０３と、ＲＬＣタイマの長さが初期長さではない場合に、ＲＬＣタイマの長さをＲＬＣタイマの初期長さに設定するように構成される第２の調整ユニット５０４とを含む。
【００７４】
この実施例における基地局のさらなる理解を提供するために、下記は、具体的な実施形態を用いることにより、この実施例における基地局５００内の各ユニット間の相互作用処理を説明し、それは、具体的には下記の通りである。
【００７５】
ＵＥがＳＲＢ又はＤＲＢ伝送を実行する段階において、第１の検出ユニット５０１が、セル内のアクセスしているＵＥの数が事前設定された数しきい値を超えているかどうかを検出し、もし超えているならば、第１の調整ユニット５０２が、ＲＬＣタイマの長さを事前設定された増分だけ増やす。
【００７６】
この実施例におけるＲＬＣタイマは、基地局側のポーリング再送タイマか、及び／又は基地局側の状態報告禁止タイマか、及び／又はＵＥ側のポーリング再送タイマか、及び／又はＵＥ側の状態報告禁止タイマである。事前設定された増分は、プロトコルにおいて指定された最大長とＲＬＣタイマの現在の長さとの間の差の範囲内の任意の値とすることができる。タイマに対して増やされる事前設定された増分は、同じ値であり得るか、又は異なる値であり得る。事前設定された増分だけ増やされた後で、各タイマの長さは依然としてプロトコルにおいて指定された最大長の範囲内にある。
【００７７】
基地局側のポーリング再送タイマの長さの事前設定された増分、及び基地局側の状態報告禁止タイマの長さの事前設定された増分は、第１の調整ユニット５０２によって直接的に設定される。ＵＥ側のポーリング再送タイマの長さの事前設定された増分、及びＵＥ側の状態報告禁止タイマの長さの事前設定された増分は、第１の調整ユニット５０２がＲＲＣ再定義メッセージをＵＥに送信する方法で設定され、メッセージを受信した後で、ＵＥは、メッセージ内で搬送されるＵＥ側のＲＬＣタイマのパラメータを抽出し、設定を実行する。
【００７８】
さらに、もしセル内のアクセスしているＵＥの数が事前設定された数しきい値を超えていないならば、第２の検出ユニット５０３は、ＲＬＣタイマの長さが初期長さであるかどうかを検出する。もし肯定の結果であるならば、調整は終了するか、又はもし否定の結果であるならば、それは、この調整の前に、第１の調整ユニット５０２がＲＬＣタイマの長さを調整したことを示し、第２の調整ユニット５０４は、ＲＬＣタイマの長さを初期長さに復元する。
【００７９】
この実施例では、第１の調整ユニットは、アクセスしているＵＥの数が事前設定された数しきい値より大きい場合、ＲＬＣタイマの長さを事前設定された増分だけ増やす。そうでなければ、ＲＬＣタイマの長さが初期長さではない場合に、第２の調整ユニットは、ＲＬＣタイマの長さを初期長さに設定する。すなわち、本実施例における基地局側及び／又はＵＥ側のＲＬＣタイマのパラメータは、ネットワーク内のＵＥの数に応じて適応的に調整される。したがって、ＲＬＣタイマの長さは、ネットワークの状況に対してより適応することができ、これは、無効なＲＬＣ再送信及び状態報告送信を回避し、無線リソースの消費を低減するとともに、ネットワークスループットを増加させる。さらに、ＲＬＣ再送信が最大回数だけ実行されるため、ＵＥの呼損が回避されることができる。
【００８０】
下記は、本発明の基地局の別の実施例を紹介する。図６を参照すると、この実施例における基地局６００は、基地局側のポーリング再送タイマがタイムアウト状態にあるかどうかを検出するか、及び／又は基地局側の状態報告禁止タイマの長さがアップリンクスケジューリング時間間隔よりも短いかどうかを検出するように構成される第３の検出ユニット６０１と、基地局側のポーリング再送タイマがタイムアウト状態にあるか、及び／又は基地局側の状態報告禁止タイマの長さがアップリンクスケジューリング時間間隔よりも短いならば、アクセスしているＵＥの数が事前設定された数しきい値を超えているかどうかを検出するように構成される第１の検出ユニット６０２と、アクセスしているＵＥの数が事前設定された数しきい値を超えている場合に、ＲＬＣタイマの長さを事前設定された増分だけ増やすように構成される第１の調整ユニット６０３と、アクセスしているＵＥの数が事前設定された数しきい値を超えていない場合に、基地局側のポーリング再送タイマの長さが初期長さであるかどうかを検出するか、及び／又は基地局側の状態報告禁止タイマの長さが初期長さであるかどうかを検出するように構成される第４の検出ユニット６０４と、基地局側のポーリング再送タイマの長さが初期長さではないか、及び／又は基地局側の状態報告禁止タイマの長さが初期長さではない場合に、基地局側のポーリング再送タイマの長さをポーリング再送タイマの初期長さに設定するか、及び／又は基地局側の状態報告禁止タイマの長さを状態報告禁止タイマの初期長さに設定するように構成される第３の調整ユニット６０５とを含む。
【００８１】
さらに、第１の調整ユニット６０３は、検出サブユニット６０３１と調整サブユニット６０３２とを含む。
【００８２】
検出サブユニット６０３１は、アクセスしているＵＥの数が事前設定された数しきい値を超えている場合に、基地局側のポーリング再送タイマの長さが最大調整しきい値に達しているかどうかを検出するか、及び／又は基地局側の状態報告禁止タイマの長さが最大調整しきい値に達しているかどうかを検出するように構成され、調整サブユニット６０３２は、基地局側のポーリング再送タイマの長さが最大調整しきい値に達していないか、及び／又は基地局側の状態報告禁止タイマの長さが最大調整しきい値に達していない場合に、基地局側のポーリング再送タイマの長さを第１の事前設定された増分だけ増やすか、及び／又は基地局側の状態報告禁止タイマの長さを第２の事前設定された増分だけ増やすように構成される。
【００８３】
この実施例では、第３の検出ユニット６０１が追加されるとともに、基地局側のＲＬＣタイマの長さの状態を検出するように構成され、それにより、より正確な細かい粒度の調整を行うとともに、基地局の現在の状態要求に対してより適応したＲＬＣタイマの調整を行う。
【００８４】
特定の実装例では、任意に、第３の検出ユニット６０１は、基地局側のポーリング再送タイマがタイムアウト状態にあることを検出する。もし第１の検出ユニット６０２が、この場合に、アクセスしているＵＥの数が事前設定された数しきい値を超えていることを検出するならば、検出サブユニット６０３１は、基地局側のポーリング再送タイマの長さが最大しきい値に達しているかどうかを検出する。もし最大しきい値に達していないならば、調整サブユニット６０３２は、基地局側のポーリング再送タイマの長さを第１の事前設定された増分だけ増やす。もし第１の検出ユニット６０２が、この場合に、アクセスしているＵＥの数が事前設定された数しきい値を超えていないことを検出するならば、第４の検出ユニット６０４は、基地局側のポーリング再送タイマの長さが初期長さであるかどうかを検出する。もし否定の結果であるならば、第３の調整ユニット６０５は、基地局側のポーリング再送タイマの長さをポーリング再送タイマの初期長さに設定する。
【００８５】
任意に、第３の検出ユニット６０１は、基地局側の状態報告禁止タイマの長さがアップリンクスケジューリング時間間隔よりも短いことを検出する。もし第１の検出ユニット６０２が、この場合に、アクセスしているＵＥの数が事前設定された数しきい値を超えていることを検出するならば、検出サブユニット６０３１は、基地局側の状態報告禁止タイマの長さが最大しきい値に達しているかどうかを検出する。もし最大しきい値に達していないならば、調整サブユニット６０３２は、基地局側の状態報告禁止タイマの長さを第２の事前設定された増分だけ増やす。もし第１の検出ユニット６０２が、この場合に、アクセスしているＵＥの数が事前設定された数しきい値を超えていないことを検出するならば、第４の検出ユニット６０４は、基地局側の状態報告禁止タイマの長さが初期長さであるかどうかを検出する。もし否定の結果であるならば、第３の調整ユニット６０５は、基地局側の状態報告禁止タイマの長さを状態報告禁止タイマの初期長さに設定する。
【００８６】
任意に、第３の検出ユニット６０１は、基地局側のポーリング再送タイマがタイムアウト状態にあるとともに、基地局側の状態報告禁止タイマの長さがアップリンクスケジューリング時間間隔よりも短いことを検出する。もし第１の検出ユニット６０２が、この場合に、アクセスしているＵＥの数が事前設定された数しきい値を超えていることを検出するならば、検出サブユニット６０３１は、基地局側のポーリング再送タイマの長さが最大しきい値を超えているかどうか、及び基地局側の状態報告禁止タイマの長さが最大しきい値に達しているかどうかを検出する必要がある。その場合に、調整サブユニット６０３２は、最大しきい値に達していない基地局側のポーリング再送タイマの長さを第１の事前設定された増分だけ増やすとともに、最大しきい値に達していない基地局側の状態報告禁止タイマの長さを第２の事前設定された増分だけ増やす。もし第１の検出ユニット６０２が、この場合に、アクセスしているＵＥの数が事前設定された数しきい値を超えていないことを検出するならば、第４の検出ユニット６０４は、基地局側のポーリング再送タイマの長さが初期長さであるかどうか、及び基地局側の状態報告禁止タイマの長さが初期長さであるかどうかを検出する必要がある。その場合に、第３の調整ユニット６０５は、初期長さではないポーリング再送タイマの長さをポーリング再送タイマの初期長さに設定するとともに、初期長さではない状態報告禁止タイマの長さを状態報告禁止タイマの初期長さに設定する。
【００８７】
前述のいくつかのケースは、説明のための実例としてのみ使用される、という点に注意が必要である。別の可能な実装例のケースが同様に本発明の保護範囲内に含まれ、これはここでは特に限定されない。
【００８８】
さらに、前述の装置は、前述の方法の実施例における他の機能を実施するように更に構成されてもよく、詳細はここでは説明されない、詳細については、前述の方法の実施例の説明を参照することができる。
【００８９】
この実施例では、基地局側のＲＬＣタイマのパラメータは、ネットワーク内のＵＥの数に応じて調整され、これは、基地局側のＲＬＣタイマの長さをネットワークの状況に対してより適応させ、無効なＲＬＣ再送信及び状態報告送信を回避し、無線リソースの消費を低減する。
【００９０】
下記は、本発明における基地局の別の実施例を紹介する。図７を参照すると、本実施例の基地局７００は、プロセッサ７０１とメモリ７０２とを含む。メモリ７０２はプログラム命令を記憶するように構成され、プロセッサ７０１は、メモリ７０２に記憶されたプログラム命令を呼び出して、下記の、セル内のアクセスしているユーザ装置ＵＥの数が事前設定された数しきい値を超えているかどうかを検出する動作と、アクセスしているＵＥの数が事前設定された数しきい値を超えている場合に、無線リンク制御ＲＬＣタイマの長さを事前設定された増分だけ増やす動作とを実行するように構成される。
【００９１】
任意に、プロセッサ７０１により実行される動作は、アクセスしているＵＥの数が事前設定された数しきい値を超えていない場合に、ＲＬＣタイマの長さが初期長さであるかどうかを検出する動作と、ＲＬＣタイマの長さが初期長さではない場合に、ＲＬＣタイマの長さをＲＬＣタイマの初期長さに設定する動作とを更に含む。
【００９２】
任意に、ＲＬＣタイマは、基地局側のポーリング再送タイマであるか、及び／又はＲＬＣタイマは、基地局側の状態報告禁止タイマであるか、及び／又はＲＬＣタイマは、ＵＥ側のポーリング再送タイマであるか、及び／又はＲＬＣタイマは、ＵＥ側の状態報告禁止タイマである。
【００９３】
任意に、ＲＬＣタイマが、基地局側のポーリング再送タイマであるか、及び／又はＲＬＣタイマが、基地局側の状態報告禁止タイマである場合に、プロセッサにより実行される動作は、基地局側のポーリング再送タイマがタイムアウト状態にあるかどうかを検出するか、及び／又は基地局側の状態報告禁止タイマの長さがアップリンクスケジューリング時間間隔よりも短いかどうかを検出する動作と、もし基地局側のポーリング再送タイマがタイムアウト状態にあるか、及び／又は基地局側の状態報告禁止タイマの長さがアップリンクスケジューリング時間間隔よりも短いならば、アクセスしているＵＥの数が事前設定された数しきい値を超えているかどうかを検出する動作とを更に含む。
【００９４】
任意に、アクセスしているＵＥの数が事前設定された数しきい値を超えている場合に、基地局により、ＲＬＣタイマの長さを事前設定された増分だけ増やす動作は、アクセスしているＵＥの数が事前設定された数しきい値を超えている場合に、基地局により、基地局側のポーリング再送タイマの長さが最大調整しきい値に達しているかどうかを検出するか、及び／又は基地局側の状態報告禁止タイマの長さが最大調整しきい値に達しているかどうかを検出する動作と、もし基地局側のポーリング再送タイマの長さが最大調整しきい値に達していないか、及び／又は基地局側の状態報告禁止タイマの長さが最大調整しきい値に達していないならば、基地局側のポーリング再送タイマの長さを第１の事前設定された増分だけ増やすか、及び／又は基地局側の状態報告禁止タイマの長さを第２の事前設定された増分だけ増やす動作とを含む。
【００９５】
任意に、基地局側のポーリング再送タイマの長さが第１の事前設定された増分だけ増やされた後に獲得された長さは最大調整しきい値を超えないとともに、基地局側の状態報告禁止タイマの長さが第２の事前設定された増分だけ増やされた後に獲得された長さは最大調整しきい値を超えない。
【００９６】
任意に、プロセッサにより実行される動作は、アクセスしているＵＥの数が事前設定された数しきい値を超えていない場合に、基地局側のポーリング再送タイマの長さが初期長さであるかどうかを検出するか、及び／又は基地局側の状態報告禁止タイマの長さが初期長さであるかどうかを検出する動作と、もし基地局側のポーリング再送タイマの長さが初期長さではないか、及び／又は基地局側の状態報告禁止タイマの長さが初期長さではないならば、基地局側のポーリング再送タイマの長さをポーリング再送タイマの初期長さに設定するか、及び／又は基地局側の状態報告禁止タイマの長さを状態報告禁止タイマの初期長さに設定する動作とを更に含む。
【００９７】
さらに、基地局７００は、前述の方法の実施例における他の機能を実施するように更に構成されてもよく、詳細はここでは説明されない、という点に注意が必要である。詳細については、前述の方法の実施例の説明を参照することができる。
【００９８】
この実施例では、プロセッサは、ネットワーク内のＵＥの数に応じてＲＬＣタイマのパラメータを調整し、これは、ＲＬＣタイマの長さをネットワークの状況に対してより適応させ、無効なＲＬＣ再送信及び状態報告送信を回避し、無線リソースの消費を低減する。
【００９９】
本出願において提供されるいくらかの実施例において、開示された装置は他の様式で実施され得る、ということが理解されるべきである。例えば、説明された装置の実施例は、単なる実例である。例えば、ユニットの分割は、単に論理的な機能の分割であるとともに、実際の実装例では他の分割であるかもしれない。例えば、複数のユニット又はコンポーネントは、別のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを通して実施され得る。装置若しくはユニットの間の間接的な結合又は通信接続は、電子的方式、又は他の方式において実施され得る。
【０１００】
別個の部品として説明されるユニットは、物理的に分離しているかもしれないし、又は物理的に分離していないかもしれないとともに、ユニットとして表示される部品は、物理的なユニットであるかもしれないし、又は物理的なユニットではないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【０１０１】
さらに、本発明の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０１０２】
統合されたユニットがソフトウェア機能ユニットの形式で実施されるとともに、独立した製品として販売されるか又は使用される場合に、統合されたユニットはコンピュータ読み取り可能な記憶媒体に記憶され得る。そのような理解に基づくと、本発明の技術的解決法は本質的に、又は、従来技術に貢献する部分は、又は、技術的解決法の全て若しくは一部分は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）に、本発明の実施例において説明された方法のステップの全て又は一部分を実行するように指示するためのいくらかの命令を含む。前述の記憶媒体は、ＵＳＢフラッシュドライブ、読出し専用メモリ（ＲＯＭ、Read-Only  Memory）、ランダムアクセスメモリ（ＲＡＭ、Random  Access  Memory）、リムーバブルハードディスク、磁気ディスク又は光ディスクのような、プログラムコードを記憶することができるあらゆる媒体を含む。
【０１０３】
前述の実施例は、本発明を限定するためではなく、単に本発明の技術的解決法を説明するために意図されているに過ぎない。前述の実施例に関連して本発明が詳細に説明されたが、当業者は、本発明の実施例の技術的解決法の範囲から逸脱することなく、前述の実施例において説明された技術的解決法にさらに修正を行い得るか、又は、それらのいくつかの技術的特徴に等価な置換を行い得る、ということを理解すべきである。
【図１】
0006392981.tif 000002
【図２】
0006392981.tif 000003
【図３Ａ】
0006392981.tif 000004
【図３Ｂ】
0006392981.tif 000005
【図４】
0006392981.tif 000006
【図５】
0006392981.tif 000007
【図６】
0006392981.tif 000008
【図７】
0006392981.tif 000009